(57)【特許請求の範囲】
【請求項１】
昇降路内に設けられたかごと、
前記かごの昇降を駆動するモータと、
前記モータの回転とともに回転されるブレーキホイールと、前記ブレーキホイールの回転を制動するための複数のブレーキユニットとを有し、前記モータの回転を制動するためのブレーキ装置と、
前記ブレーキユニットの動作に関するブレーキ診断用信号を生成する信号生成手段と、  前記かごの運転を統括して制御する運転制御部と、
前記運転制御部からの指令に応じて前記モータの駆動を制御するモータ制御部と、
前記ブレーキユニット毎に異なるブレーキ系統に属しており、前記運転制御部からの指令に応じて前記複数のブレーキユニットの動作をそれぞれ制御する複数のブレーキ制御部と、
それぞれ異なる前記ブレーキ系統に属しており、自身が属する前記ブレーキ系統において、前記信号生成手段からのブレーキ診断用信号に基づく前記ブレーキユニットについての故障診断を実行可能な複数の診断部と
を備え、
前記複数の診断部のそれぞれは、自身の診断内容を他の前記診断部の診断内容と比較し、それらの診断内容が不一致であることを確認した場合には、自身を含めた前記複数の診断部のうちの少なくともいずれか１つについて故障が発生したと判断するエレベータ装置。
【請求項２】
同一の前記ブレーキ系統に属する前記ブレーキ制御部と前記ブレーキユニットとの間に介在され、かつ前記ブレーキ系統毎に設けられ、前記複数のブレーキ制御部からの指令に応じて、前記ブレーキユニットへの出力信号を制御する複数の出力制御部
をさらに備え、
前記複数の診断部は、前記ブレーキ装置、前記ブレーキ制御部及び前記複数の診断部の少なくともいずれか１つについて故障を検出した場合に、前記複数の出力制御部の全てに対して、前記ブレーキ装置を作動させるための制動指令を送り、
前記複数の出力制御部は、前記複数の診断部のうちの少なくとも１つの前記診断部からの制動指令に応じて、前記ブレーキユニットに前記ブレーキホイールの回転を制動させる  請求項１記載のエレベータ装置。
【請求項３】
同一の前記ブレーキ系統に属する前記ブレーキ制御部と前記ブレーキユニットとの間に介在され、かつ前記ブレーキ系統毎に設けられ、前記複数のブレーキ制御部からの指令に応じて、前記ブレーキユニットへの出力信号を制御する複数の出力制御部
をさらに備え、
前記複数の診断部は、前記ブレーキ装置、前記ブレーキ制御部及び前記複数の診断部の少なくともいずれか１つについて故障を検出した場合に、自身とは異なる前記ブレーキ系統に属する前記複数の出力制御部に対して、前記ブレーキ装置を作動させるための制動指令を送り、
前記複数の出力制御部は、前記複数の診断部のうちの少なくとも１つの前記診断部からの制動指令に応じて、前記ブレーキユニットに前記ブレーキホイールの回転を制動させる  請求項１記載のエレベータ装置。
【発明の詳細な説明】
【技術分野】
【０００１】
この発明は、ブレーキ装置についての故障診断機能を有するエレベータ装置に関するものである。
【背景技術】
【０００２】
従来のエレベータのブレーキ制御装置では、ブレーキ装置の作動を制御する制御器がブレーキ装置の故障を検出する機能を有している。この制御器は、ブレーキ装置の故障を検出するとブレーキ装置への電源供給を停止し、ブレーキ装置を制動状態とする（例えば、特許文献１参照）。【０００３】
【特許文献１】特開２００５−１２６１８３号公報
【発明の開示】
【発明が解決しようとする課題】
【０００４】
上記のような従来のエレベータのブレーキ制御装置では、制御器によってブレーキ装置の故障を検出可能である。しかしながら、制御器自体に発生した故障については検出することができなかった。このため、制御器に故障が発生した際には、ブレーキ装置についての故障検出を行うことができず、ブレーキ装置に故障が生じたままかごの運転を継続させてしまう可能性がある。【０００５】
この発明は、上記のような課題を解決するためになされたものであり、複数の診断部の少なくともいずれか１つが故障した場合に、その故障検出を行うことができるエレベータ装置を得ることを目的とする。
【課題を解決するための手段】
【０００６】
この発明のエレベータ装置は、昇降路内に設けられたかごと、かごの昇降を駆動するモータと、モータの回転とともに回転されるブレーキホイールと、ブレーキホイールの回転を制動するための複数のブレーキユニットとを有し、モータの回転を制動するためのブレーキ装置と、ブレーキユニットの動作に関するブレーキ診断用信号を生成する信号生成手段と、かごの運転を統括して制御する運転制御部と、運転制御部からの指令に応じてモータの駆動を制御するモータ制御部と、ブレーキユニット毎に異なるブレーキ系統に属しており、運転制御部からの指令に応じて複数のブレーキユニットの動作をそれぞれ制御する複数のブレーキ制御部と、それぞれ異なるブレーキ系統に属しており、自身が属するブレーキ系統において、信号生成手段からのブレーキ診断用信号に基づくブレーキユニットについての故障診断を実行可能な複数の診断部とを備え、複数の診断部のそれぞれは、自身の診断内容を他の診断部の診断内容と比較し、それらの診断内容が不一致であることを確認した場合には、自身を含めた複数の診断部のうちの少なくともいずれか１つについて故障が発生したと判断するものである。
【図面の簡単な説明】
【０００７】
【図１】この発明の実施の形態１によるエレベータ装置を示す構成図である。
【図２】図１の第１診断部のブレーキ装置についての故障診断動作を示すフローチャートである。
【図３】図１の第１診断部のブレーキ制御部についての故障診断動作を示すフローチャートである。
【図４】この発明の実施の形態２によるエレベータ装置を示す構成図である。
【図５】この発明の実施の形態３によるエレベータ装置を示す構成図である。
【図６】この発明の実施の形態４によるエレベータ装置を示す構成図である。
【図７】この発明の実施の形態５によるエレベータ装置を示す構成図である。
【図８】この発明の実施の形態６による第１診断部のブレーキ装置についての故障診断動作を示すフローチャートである。
【発明を実施するための最良の形態】
【０００８】
以下、この発明の好適な実施の形態について図面を参照して説明する。
実施の形態１．
図１は、この発明の実施の形態１によるエレベータ装置を示す構成図である。
図１において、昇降路には、巻上機１が設けられている。巻上機１は、モータ２及びシーブ３を有している。シーブ３は、モータ２により回転される。シーブ３には、ロープ４が巻き掛けられている。ロープ４には、かご５及び釣合おもり６が吊り下げられている。かご５及び釣合おもり６は、モータ２の駆動力によって、昇降路内を昇降される。【０００９】
巻上機１には、ブレーキ装置７が取り付けられている。ブレーキ装置７は、ブレーキホイール７ａ、制動片としてのブレーキシュー７ｂ、及びブレーキ駆動部７ｃを有している。ブレーキシュー７ｂ及びブレーキ駆動部７ｃは、ブレーキユニットを構成している。ブレーキホイール７ａは、モータ２の回転軸に取り付けられている。また、ブレーキホイール７ａは、モータ２により、シーブ３とともに回転される。【００１０】
ブレーキシュー７ｂは、制動位置と開放位置との間で変位可能となっている。制動位置とは、ブレーキシュー７ｂのブレーキライニングがブレーキホイール７ａの制動面（例えば外周面）と接触する位置である。開放位置とは、ブレーキシュー７ｂのブレーキライニングがブレーキホイール７ａの制動面から間隔をおいて離れる位置である。つまり、開放位置とは、ブレーキライニングがブレーキホイール７ａの制動面と非接触状態となる位置である。【００１１】
ブレーキシュー７ｂの変位は、ブレーキ駆動部７ｃによって駆動される。また、ブレーキ駆動部７ｃによってブレーキシュー７ｂのブレーキライニングがブレーキホイール７ａの制動面に押し付けられることにより、モータ２の回転が制動される。ブレーキ駆動部７ｃは、ブレーキホイール７ａへ向けて付勢するばねと、そのばねの付勢力に抗してブレーキシュー７ｂをブレーキホイール７ａから離すための励磁コイルとを有している（いずれも図示せず）。励磁コイルが励磁されているときに、ブレーキシュー７ｂが開放位置に配置される。【００１２】
また、ブレーキ駆動部７ｃには、ブレーキ装置７の作動状態に関する帰還信号を生成する帰還信号生成手段が（機械的又は電気的に）接続されている（図示せず）。帰還信号生成手段は、例えば、ブレーキ駆動部７ｃの励磁コイルに流れる電流に応じた信号を生成する電流検出器、又はブレーキシュー７ｂの位置（制動位置・開放位置）に応じた信号を生成するスイッチ等である。なお、帰還信号生成手段は、ブレーキ装置７の作動状態に関する信号を生成可能なスイッチ・センサ類であればよい。また、帰還信号生成手段として複数種のスイッチ・センサ類を複合して用いてもよい。【００１３】
かご５の運転は、エレベータ制御装置１００によって制御される。エレベータ制御装置１００は、運転制御部１０１、モータ制御部１０２、ブレーキ制御部１０３、出力制御部１０４、第１診断部１０５及び第２診断部１０６を有している。運転制御部１０１は、かご５の運転を統括して制御する。また、運転制御部１０１は、かご５の運転状況に応じて、モータ制御部１０２にモータ駆動指令を送る。さらに、運転制御部１０１は、かご５の運転状況に応じて、ブレーキ制御部１０３にブレーキ駆動指令を送る。【００１４】
モータ制御部１０２は、運転制御部１０１からのモータ駆動指令に従い、モータ２の駆動を制御する。ブレーキ制御部１０３は、運転制御部１０１からのブレーキ作動指令と、かご５の運転状況とに応じて、ブレーキ装置７の制動力を設定する。そして、ブレーキ制御部１０３は、設定した制動力を発揮させるための出力指令を出力制御部１０４に送る。【００１５】
出力制御部１０４は、ブレーキ制御部１０３とブレーキ装置７との間に介在されている。出力制御部１０４は、ブレーキ制御部１０３から受けた出力指令に応じて、ブレーキ装置７の励磁コイルに加える電圧の大きさを決定し、その決定した大きさの電圧を励磁コイルに加える。【００１６】
第１診断部１０５は、ブレーキ装置７及びブレーキ制御部１０３についての故障診断を行う。これと同様に、第２診断部１０６も、ブレーキ装置７及びブレーキ制御部１０３についての故障診断を行う。第１診断部１０５及び第２診断部１０６は、互いに独立して故障診断を行う。また、第１診断部１０５及び第２診断部１０６は、故障診断を随時行う。【００１７】
この診断処理の一例について説明すると、第１診断部１０５及び第２診断部１０６は、ブレーキ駆動部７ｃからの帰還信号（ブレーキ診断用信号）に基づいて、ブレーキ装置７の電源異常、制動力異常又は機構異常等を検出可能になっている。また、第１診断部１０５及び第２診断部１０６は、ブレーキ制御部１０３からの帰還信号（ブレーキ制御部診断用信号）に基づいて、ブレーキ制御部１０３の出力波形異常、又は動作異常等を検出可能になっている。従って、第１診断部１０５及び第２診断部１０６は、これらの異常を検出した場合に、ブレーキ装置７又はブレーキ制御部１０３が故障していると判断する。【００１８】
また、第１診断部１０５及び第２診断部１０６は、故障診断を行った際に、その故障診断の内容を相互に比較し合う。即ち、第１診断部１０５及び第２診断部１０６は、それぞれ自身の診断結果と、第２診断部１０６及び第１診断部１０５（他の診断部）の診断結果とを比較する。【００１９】
そして、第１診断部１０５及び第２診断部１０６は、比較結果が相互に不一致であることを確認した場合には、第１診断部１０５及び第２診断部１０６の少なくともいずれか一方に故障が発生したと判断する。即ち、第１診断部１０５及び第２診断部１０６は、自身を含めた複数の診断部のうちの少なくともいずれか１つに故障が発生したと判断する。この場合、第１診断部１０５及び第２診断部１０６は、運転制御部１０１に診断部故障信号を送る（図１の一点鎖線）。【００２０】
さらに、第１診断部１０５及び第２診断部１０６は、診断内容についての比較結果が相互に一致していることを確認した場合に、ブレーキ装置７又はブレーキ制御部１０３が故障していることを確認したときには、ブレーキ故障信号又はブレーキ制御部故障信号を運転制御部１０１に送る。【００２１】
これらの診断部故障信号、ブレーキ故障信号又はブレーキ制御部故障信号に対して、運転制御部１０１は、モータ制御部１０２を介して、モータ２の駆動を停止させ、かご５の運転を停止する。なお、運転制御部１０１は、かご５が乗場階間にいるときに診断部故障信号、ブレーキ故障信号又はブレーキ制御部故障信号を受けた場合には、かご５を最寄階で戸開させてから、かご５の運転を停止させてもよい。【００２２】
ここで、エレベータ制御装置１００は、演算処理部（ＣＰＵ）、記憶部（ＲＯＭ、ＲＡＭ及びハードディスク等）及び信号入出力部を持ったハードウェア（図示せず）により構成することができる。エレベータ制御装置１００の記憶部は、図２，３の動作を実現するためのプログラムを予め記憶している。なお、エレベータ制御装置１００の各機能１０１〜１０６は、互いに独立したハードウェアによっても実現することができる。【００２３】
次に、動作について説明する。図２は、図１の第１診断部１０５の故障診断時の動作を示すフローチャートである。図２において、第１診断部１０５は、帰還信号生成手段からの信号に基づいて、ブレーキ装置７についての故障診断を行う（ステップＳ１０１）。そして、第１診断部１０５は、第２診断部（他の診断部）１０６と診断内容を比較し（ステップＳ１０２）、診断内容が第２診断部１０６と一致しているかどうかを確認する（ステップＳ１０３）。【００２４】
このときに、第１診断部１０５は、診断内容が一致していることを確認した場合には、自身の診断内容に基づいて、ブレーキ装置７が正常であるか否かを確認する（ステップＳ１０４）。そして、第１診断部１０５は、ブレーキ装置７が正常である場合には、同様の動作を繰り返す。【００２５】
また、第１診断部１０５は、診断内容が第２診断部１０６と一致しているかどうかを確認した際に、診断内容が不一致であることを確認した場合には（ステップＳ１０３のＮＯ方向）、第１診断部１０５及び第２診断部１０６のいずれか一方に故障が発生したと判断し、診断部故障信号を運転制御部１０１へ送信する（Ｓ１０５）。そして、第１診断部１０５は、リセットされるまで待機する（ステップＳ１０７）。この後、第１診断部１０５は、リセットされると、同様の動作を繰り返す。【００２６】
さらに、第１診断部１０５は、ブレーキ装置７が正常であるか否かを確認した際に、ブレーキ装置７が故障していることを確認した場合には（ステップＳ１０４のＮＯ方向）、ブレーキ故障信号を運転制御部１０１へ送信する（ステップＳ１０６）。そして、第１診断部１０５は、リセットされるまで待機する（ステップＳ１０７）。この後、第１診断部１０５は、リセットされると、同様の動作を繰り返す。【００２７】
図３は、図１の第１診断部１０５のブレーキ制御部１０３についての故障診断動作を示すフローチャートである。ここで、第１診断部１０５のブレーキ制御部１０３についての故障診断動作は、故障診断対象がブレーキ制御部１０３である点と、ブレーキ制御部１０３の故障検出後にブレーキ制御部故障信号を運転制御部１０１に送る点で、図２に示す動作と異なっている。その他の動作については、図２に示す動作と同様である。また、第２診断部１０６の動作は、第１診断部１０５の動作と同様である。【００２８】
上記のような実施の形態１のエレベータ装置によれば、第１診断部１０５及び第２診断部１０６は、ブレーキ装置７又はブレーキ制御部１０３についての診断内容を相互に比較し合い、その演算結果が不一致であることを確認した際に、第１診断部１０５及び第２診断部１０６の少なくともいずれか一方に故障がしたと判断する。この構成により、診断部１０５，１０６の少なくともいずれか１つが故障した場合に、その故障検出を行うことができる。【００２９】
また、第１診断部１０５及び第２診断部１０６が、第１診断部１０５及び第２診断部１０６についての故障検出した際に、運転制御部１０１に診断部故障信号を送る。そして、運転制御部１０１がかご５の運転を停止する。つまり、運転制御部１０１は、第１診断部１０５及び第２診断部１０６のいずれか一方が故障した状態、即ちブレーキ装置７及びブレーキ制御部１０３についての故障診断が行えない状態でのかご５の運転を行わない。従って、ブレーキ装置７及びブレーキ制御部１０３が故障したままの状態でのかご５の運転を事前に回避することができる。【００３０】
なお、実施の形態１では、第１診断部１０５及び第２診断部１０６の２つの診断部を用いた。しかしながら、診断部の数は２つに限定するものではなく、３つ以上であってもよい。即ち、診断部を３つ以上に多重化させてもよい。この場合、複数の診断部に同時に故障した場合であっても、その故障を検出可能となる。【００３１】
また、実施の形態１では、運転制御部１０１が、第２診断部１０６から故障検出信号を受けた際に、かご５の運転を停止した。しかしながら、この例に限定するものではなく、運転制御部１０１が、第２診断部１０６から故障検出信号を受けた際に、かご５の運転を停止するとともに、例えば、発生した故障の情報を遠隔監視センタに送信してもよい。【００３２】
さらに、実施の形態１では、第２診断部１０６が、故障検出信号を運転制御部１０１に送った。しかしながら、この例に限定するものではなく、第１診断部１０５及び第２診断部の一方又は両方が、故障検出信号を運転制御部１０１に送ってもよい。【００３３】
また、実施の形態１における出力制御部１０４を省略することもできる。この場合、出力制御部１０４に代えて、ブレーキ制御部１０３がブレーキ装置７の励磁コイルに加える電圧の大きさを決定し、その決定した大きさの電圧を励磁コイルに加えてもよい。【００３４】
実施の形態２．
実施の形態１では、ブレーキ装置７におけるブレーキシュー７ｂ及びブレーキ駆動部７ｃと、ブレーキ制御装置１０３と、出力制御部１０４とがそれぞれ１つずつ用いられた。これに対して、実施の形態２では、これらのものがブレーキシュー７ｂ，７ｄ、ブレーキ駆動部７ｃ，７ｅ、ブレーキ制御装置１０３Ａ，１０３Ｂ及び出力制御部１０４Ａ，１０４Ｂとして、それぞれ２つずつ用いられる。即ち、実施の形態２では、２つのブレーキユニットが用いられる【００３５】
図４は、この発明の実施の形態２によるエレベータ装置を示す構成図である。図４において、ブレーキシュー７ｂ、ブレーキ駆動部７ｃ、ブレーキ制御装置１０３Ａ、出力制御部１０４Ａ及び第１診断部１０５は、第１ブレーキ系統を構成している。ブレーキシュー７ｄ、ブレーキ駆動部７ｅ、ブレーキ制御装置１０３Ｂ、出力制御部１０４Ｂ及び第２診断部１０６は、第２ブレーキ系統を構成している。【００３６】
実施の形態２の第１診断部１０５は、第１ブレーキ系統に属するブレーキシュー７ｂ、ブレーキ駆動部７ｃ、及びブレーキ制御装置１０３Ａについての故障診断を行う。また、実施の形態２の第１診断部１０６は、第２ブレーキ系統に属するブレーキシュー７ｄ、ブレーキ駆動部７ｅ、及びブレーキ制御装置１０３Ｂについての故障診断を行う。即ち、実施の形態２の第１診断部１０５及び第２診断部１０６は、自身の属するブレーキ系統のブレーキシュー７ｂ，７ｄ及びブレーキ駆動部７ｃ，７ｅについての故障診断を行う。他の構成及び動作は、実施の形態１と同様である。【００３７】
上記のような実施の形態２のエレベータ装置によれば、第１診断部１０５及び第２診断部１０６が互いに異なるブレーキ系統についての故障診断を行う場合であっても、実施の形態１と同様の効果を得ることができる。【００３８】
実施の形態３．
実施の形態１の出力制御部１０４は、ブレーキ制御部１０３からの出力指令に応じて、ブレーキ駆動部（励磁コイル）７ｃへの電圧の印加・遮断を制御した。これに対して、実施の形態３の出力制御部１０４は、ブレーキ制御部１０３からの出力指令、又は第１診断部１０５及び第２診断部１０６からの制動指令に応じて、ブレーキ駆動部７ｃへの電圧の印加・遮断を制御する。【００３９】
図５は、この発明の実施の形態３によるエレベータ装置を示す構成図である。図５において、実施の形態３の第１診断部１０５及び第２診断部１０６は、ブレーキ装置７、ブレーキ制御部１０３、第１診断部１０５及び第２診断部１０６の少なくともいずれか１つについて故障を検出した際に、故障検出信号を運転制御部１０１に送るとともに、出力制御部１０４に制動指令を送る（図５の破線）。【００４０】
出力制御部１０４は、第１診断部１０５又は第２診断部１０６からの制動指令に応じて、ブレーキ駆動部７ｃへの電圧を遮断する。即ち、出力制御部１０４は、第１診断部１０５又は第２診断部１０６からの制動指令に応じて、ブレーキ装置７を強制的に作動状態とする。他の構成及び動作は、実施の形態１と同様である。【００４１】
上記のような実施の形態３のエレベータ装置によれば、第１診断部１０５及び第２診断部１０６が、ブレーキ装置７、ブレーキ制御部１０３、第１診断部１０５及び第２診断部１０６の少なくともいずれか１つについて故障を検出した際に、出力制御部１０４に制動指令を送る。この構成により、ブレーキ制御部１０３が故障している場合であっても、第１診断部１０５及び第２診断部１０６からの制動指令によって、ブレーキ装置７を強制的に制動状態とすることができる。【００４２】
なお、実施の形態３では、第１診断部１０５及び第２診断部１０６の両方が出力制御部１０４に制動指令を送った。しかしながら、この例に限定するものではなく、第１診断部１０５及び第２診断部１０６のいずれか一方のみが出力制御部１０４に制動指令を送ってもよい。【００４３】
実施の形態４．
実施の形態２の出力制御部１０４Ａは、ブレーキ制御部１０３Ａからの出力指令に応じて、ブレーキ駆動部７ｃへの電圧の印加・遮断を制御した。また、実施の形態２の出力制御部１０４Ｂは、ブレーキ制御部１０３Ｂからの出力指令に応じて、ブレーキ駆動部７ｅへの電圧の印加・遮断を制御した。実施の形態４の出力制御部１０４Ａ，１０４Ｂは、実施の形態３の場合と同様に、第１診断部１０５及び第２診断部１０６からの制動指令に応じて、ブレーキ駆動部７ｃ，７ｅへの電圧の印加・遮断を制御する。【００４４】
図６は、この発明の実施の形態４によるエレベータ装置を示す構成図である。図６において、実施の形態３の第１診断部１０５及び第２診断部１０６は、ブレーキ装置７、ブレーキ制御部１０３、第１診断部１０５及び第２診断部１０６の少なくともいずれか１つについて故障を検出した際に、故障検出信号を運転制御部１０１に送るとともに、出力制御部１０４Ａ，１０４Ｂの両方に制動指令を送る（図６の破線）。即ち、第１診断部１０５及び第２診断部１０６は、それぞれ自他両系統の出力制御部１０４Ａ，１０４Ｂに制動指令を送る。他の構成及び動作は、実施の形態２及び実施の形態３と同様である。【００４５】
上記のような実施の形態４のエレベータ装置によれば、第１診断部１０５及び第２診断部１０６が互いに異なるブレーキ系統についての故障診断を行う場合であっても、実施の形態３と同様の効果を得ることができる。【００４６】
実施の形態５．
実施の形態４の第１診断部１０５及び第２診断部１０６は、自他両系統の出力制御部１０４Ａ，１０４Ｂに制動指令を送った。ここで、例えば、第１診断部１０５及び第２診断部１０６のうち第１診断部１０５が故障している場合において、第２診断部１０６から出力制御部１０４Ａ，１０４Ｂへの制動指令が、第１診断部１０５の故障に伴って、指令の発生タイミングや回路構成によっては、正常に伝わらない可能性が生じる。【００４７】
これに対して、実施の形態５の第１診断部１０５及び第２診断部１０６は、図７に示すように、異なるブレーキ系統の出力制御部１０４Ａ，１０４Ｂに対してのみ制動指令を送る（図７の破線）。即ち、第１診断部１０５及び第２診断部１０６は、自身が属するブレーキ系統の出力制御部１０４Ａ，１０４Ｂに対して制動指令を送らない。他の構成及び動作は、実施の形態４と同様である。【００４８】
上記のような実施の形態５のエレベータ装置によれば、第１診断部１０５及び第２診断部１０６が、それぞれ異なるブレーキ系統の出力制御部１０４Ａ，１０４Ｂに対してのみ制動指令を送る。この構成により、第１診断部１０５又は第２診断部１０６の故障による影響を受けることなく、ブレーキ装置７のうちブレーキシュー７ｂ，７ｄの少なくともいずれか一方を制動位置に変位させて、ブレーキ装置７をより確実に制動状態とすることができる。【００４９】
なお、実施の形態２，４，５では、ブレーキ系統が２つの場合の例について説明した。しかしながら、ブレーキ系統が３つ以上であってもよい。【００５０】
実施の形態６．
実施の形態１では、第１診断部１０５及び第２診断部１０６が、ブレーキ装置７、ブレーキ制御部１０３、第１診断部１０５及び第２診断部１０６のいずれか１つについての故障を検出した後に、リセットされるまで待機した。これに対して、実施の形態６の第１診断部１０５及び第２診断部１０６は、各機器７，１０３，１０５，１０６のいずれか１つについての故障を検出して各機器についての故障検出後に、再度故障診断を行う。【００５１】
図８は、この発明の実施の形態６による第１診断部１０５のブレーキ装置７についての故障診断動作を示すフローチャートである。実施の形態６の第１診断部１０５の動作は、実施の形態１の第１診断部１０５による故障信号を運転制御部１０１へ送信した後の動作（図２のステップＳ１０５，Ｓ１０６以降の動作）が異なっており、ここでは、実施の形態１との違いについてのみ説明する。【００５２】
図８において、実施の形態６の第１診断部１０５は、各機器７，１０３，１０５，１０６のいずれか１つについての故障信号を運転制御部１０１に送るとともに（ステップＳ１０５，Ｓ１０６）、診断運転要求を運転制御部１０１に送る（ステップＳ３０１）。ここで、この第１診断部１０５からの診断運転要求に応じて、運転制御部１０１は、診断運転を行う。この診断運転とは、例えば、昇降路の最下階から最上階までかご５を試験的に昇降させる運転である。【００５３】
また、第１診断部１０５は、運転制御部１０１による診断運転中に、各機器７，１０５，１０６についての再度の故障診断を行う（ステップＳ３０２）。そして、第１診断部１０５は、この再度の故障診断の結果に基づいて、前回の診断結果が誤診断であったかどうかを確認する（ステップＳ３０３）。このときに、第１診断部１０５は、各機器７，１０５，１０６についての故障を検出せずに、前回の診断結果が誤診断であることを確認した場合には、通常運転復帰可能信号を運転制御部１０１へ送り（ステップＳ３０４）、同様の動作を繰り返す。【００５４】
これに対して、第１診断部１０５は、再度の故障診断において、各機器７，１０５，１０６についての故障を再度検出した場合には、運転制御部１０１による診断運転を中止させて、リセットされるまで待機する（ステップＳ３０５）。この後、第１診断部１０５は、リセットされると、同様の動作を繰り返す。なお、第１診断部１０５のブレーキ制御部１０３についての故障診断動作については。図８に示す動作と同様である。また、第２診断部１０６の動作は、第１診断部１０５の動作と同様である。さらに、他の構成及び動作は、実施の形態１と同様である。【００５５】
上記のような実施の形態６のエレベータ装置によれば、運転制御部１０１による診断運転の際に、第１診断部１０５及び第２診断部１０６が再度の故障診断を行い、その再度の故障診断において故障を確認しなければ、最初に検出した故障を一時的な誤診断であると判断する。この結果、誤診断に伴うかご５の運転休止時間を最小限に抑えることができる。【００５６】
なお、実施の形態６では、実施の形態１の第１診断部１０５及び第２診断部１０６について、再度の故障診断を行った例について説明した。しかしながら、実施の形態２〜５の第１診断部１０５及び第２診断部１０６が、実施の形態６の再度の故障診断を行ってもよい。【００５７】
また、実施の形態６において、第１診断部１０５及び第２診断部１０６が最初に故障を検出した後に、救出運転（最寄り階でかご５を戸閉させる運転）を行った後に、エレベータの運転制御部１０１が診断運転を行ってもよい。【００５８】
さらに、実施の形態１〜６では、第１診断部１０５及び第２診断部１０６がブレーキ装置７及びブレーキ制御部１０３（１０３Ａ，１０３Ｂ）の両方についての故障診断を行う例について説明した。しかしながら、第１診断部１０５及び第２診断部１０６がブレーキ装置７のみについて故障診断を行い、ブレーキ制御部１０３についての故障診断を省略してもよい。
【図１】
0005611937.tif 000002
【図２】
0005611937.tif 000003
【図３】
0005611937.tif 000004
【図４】
0005611937.tif 000005
【図５】
0005611937.tif 000006
【図６】
0005611937.tif 000007
【図７】
0005611937.tif 000008
【図８】
0005611937.tif 000009